(57)【要約】【課題】扉に開口部を形成することなく、簡単な構成で扉開閉障害を解消できる扉開放機構を提供することを課題とする。【解決手段】扉の開放を補助するための扉開放機構１であって、扉本体１０を囲う扉枠３０に設けられた枠側磁性体３１と、扉本体１０に設けられ枠側磁性体３１に対向する位置に配置された扉本体側磁性体１１と、を備え、枠側磁性体３１および扉本体側磁性体１１の少なくとも一方を電磁石にて構成し、扉本体１０の扉開放用取っ手（ドアノブ１２）の作動に応じて電磁石を磁化させて、枠側磁性体３１と扉本体側磁性体１１との間に反発力を発生させる磁化手段５０をさらに備え、反発力によって、扉本体１０を開放方向に付勢して開くように構成した。【選択図】図１
2010222848.tif 000002
【特許請求の範囲】
【請求項１】
扉の開放を補助するための扉開放機構であって、
扉本体を囲う扉枠に設けられた枠側磁性体と、
前記扉本体に設けられ前記枠側磁性体に対向する位置に配置された扉本体側磁性体と、を備え、
前記枠側磁性体および前記扉本体側磁性体の少なくとも一方を電磁石にて構成し、
前記扉本体の扉開放用取っ手の作動に応じて前記電磁石を磁化させて、前記枠側磁性体と前記扉本体側磁性体との間に反発力を発生させる磁化手段をさらに備え、
前記反発力によって、前記扉本体を開放方向に付勢するように構成した
ことを特徴とする扉開放機構。
【請求項２】
前記扉は、その内外で差圧が発生する位置に設けられており、
前記枠側磁性体は、低圧側に設けられ
前記扉本体側磁性体は、高圧側に設けられ、
前記反発力によって、前記扉本体を前記高圧側となる開放方向に付勢するように構成した
ことを特徴とする請求項１に記載の扉開放機構。
【請求項３】
前記扉本体は、前記反発力によって開くように構成されている
ことを特徴とする請求項１または請求項２に記載の扉開放機構。
【請求項４】
前記扉本体と前記扉枠間に架け渡されたドアチェックをさらに備え、
前記ドアチェックは、前記扉本体が前記差圧を解消可能な差圧解消位置で前記扉本体を一旦停止させるように構成されている
ことを特徴とする請求項３に記載の扉開放機構。
【請求項５】
前記磁化手段は、前記扉本体が前記差圧解消位置まで開くと、前記電磁石の磁化を解除するように構成されている
ことを特徴とする請求項４に記載の扉開放機構。
【発明の詳細な説明】
【技術分野】
【０００１】
本発明は、扉の開放を補助するための扉開放機構に関する。
【背景技術】
【０００２】
近年、マンションや住宅の高気密化等の要因によって、室内外で差圧が発生することが多くなっている。このように扉の内外で差圧が発生している場合、玄関扉等を開放する際に、扉本体に風圧力が作用して、扉が重い等の扉開閉障害が発生することがあり、問題となっている。
【０００３】
従来、このような扉開閉障害を軽減する方策としては、例えば、玄関扉本体に差圧調整用開口部を形成して、この開口部に扉を回動自在に設置し、室内と室外の空気を流通させる機構（特許文献１参照）や、室外側に開口する室外給気口と室内側に開口する室内給気口とを接続して、室内外の空気を流通させる機構（特許文献２参照）があった。また、住戸内に差圧ダンパーを設置し、ファン等によって室内外の圧力差を解消する換気システムも提案されていた（特許文献３参照）。以上の構成によれば、室内外の差圧を低減させることで、扉にかかる圧力を低減して、扉の開放を補助し、扉開閉障害を軽減することができる。
【先行技術文献】
【特許文献】
【０００４】
【特許文献１】特開平１０−１３１６４２号公報
【特許文献２】特開２０００−２８１７１号公報
【特許文献３】特開２０００−６５４０６号公報
【発明の概要】
【発明が解決しようとする課題】
【０００５】
しかしながら、前記した従来の構成では、以下のような問題があった。玄関扉に、特許文献１のような差圧調整用開口部を形成するのは、防火の観点から実用化が困難である。また、特許文献２の構成では、室外給気口と室内給気口を接続するためのパスダクトの設置スペースが必要となり、玄関扉の外部の廊下の形状によっては、納まりの関係上、パスダクトを設置できない場合もあった。
【０００６】
また、特許文献２や特許文献３の構成では、室内外の圧力調整のために、給気口や差圧ダンパーを別途に設けなければならず、構造の複雑化および施工費用の上昇を招く問題があった。
【０００７】
そこで、本発明は前記の問題を解決すべく案出されたものであって、扉に開口部を形成することなく、簡単な構成で扉の開閉を補助することができる扉開放機構を提供することを課題とする。
【課題を解決するための手段】
【０００８】
前記課題を解決するため、本発明は、扉の開放を補助するための扉開放機構であって、扉本体を囲う扉枠に設けられた枠側磁性体と、前記扉本体に設けられ前記枠側磁性体に対向する位置に配置された扉本体側磁性体と、を備え、前記枠側磁性体および前記扉本体側磁性体の少なくとも一方を電磁石にて構成し、前記扉本体の扉開放用取っ手の作動に応じて前記電磁石を磁化させて、前記枠側磁性体と前記扉本体側磁性体との間に反発力を発生させる磁化手段をさらに備え、前記反発力によって、前記扉本体を開放方向に付勢するように構成したことを特徴とする扉開放機構である。
【０００９】
本発明において、扉開放用取っ手とは、ドアノブ、レバーハンドルやプッシュドアハンドル等の扉を開放するときに手で把持して回したり押したり引いたりする部分をいう。このような構成の扉開放機構によれば、枠側磁性体と扉本体側磁性体との間に発生する反発力によって、扉本体を開放方向に付勢するので、扉の開閉を補助することができ、小さい力で円滑に扉を開放することができる。さらに、扉開放用取っ手の作動に応じて電磁石を磁化させるので、ラッチボルトが扉枠に係止された状態では反発力が発生しないので、扉本体や扉枠に無理な応力がかかることはない。また、本構成によれば、扉に差圧調整用の開口部を形成する必要はなく、防火上の問題はない。さらに、枠側磁性体は扉枠の内部に、扉本体側磁性体は扉本体の内部にそれぞれ設けられているので、各装置の設置スペースを別途に必要とせず、また、簡単な構成であるので、施工費用の上昇を抑制できる
【００１０】
また、本発明は、前記扉が、その内外で差圧が発生する位置に設けられており、前記枠側磁性体は、低圧側に設けられ、前記扉本体側磁性体は、高圧側に設けられ、前記反発力によって、前記扉本体を前記高圧側となる開放方向に付勢するように構成したことを特徴とする。
【００１１】
このような構成の扉開放機構によれば、枠側磁性体と扉本体側磁性体との間に発生する反発力によって、差圧によって扉本体にかかる圧力に抗して扉本体を開放方向に付勢するので、扉の開閉を補助することができ、小さい力で扉を所定の角度まで開くことができる。そして、扉を開いた時点で扉内外の差圧が解消され、その後は、通常の力で円滑に扉本体を開放することができる。
【００１２】
さらに、本発明は、前記扉本体が、前記反発力によって開くように構成されていることを特徴とする。
【００１３】
このような構成の扉開放機構によれば、枠側磁性体と扉本体側磁性体との間に発生する反発力によって、扉本体が、発生する差圧によって扉本体にかかる圧力に抗して自動的に開くので、その時点で扉内外の差圧が解消される。そして、その後は、通常の力で円滑に扉本体を開放することができる。
【００１４】
また、本発明は、前記扉本体と前記扉枠間に架け渡されたドアチェックをさらに備え、前記ドアチェックは、前記扉本体が前記差圧を解消可能な差圧解消位置で前記扉本体を一旦停止させるように構成されていることを特徴とする。
【００１５】
ここで、差圧解消位置とは、扉本体が所定の角度で開放され、扉枠と扉本体との間を通して、扉の内外で空気を流通させることで差圧を解消できるとともに、空気の流通によって扉本体が扉枠側に閉め戻されることがない位置である。このような構成の扉開放機構によれば、枠側磁性体と扉本体側磁性体との間に発生する反発力によって扉本体が開き過ぎたり、扉枠と扉本体との間を流通する空気の流れによって閉じ戻されたりしないので、扉を開閉する人が、扉開放用取っ手を持ったまま扉本体に押されたり引かれたりするのを防止できる。さらに、一旦停止後は、差圧が解消されているので、円滑に扉を開放することができる。
【００１６】
さらに、本発明は、前記磁化手段は、前記扉本体が前記差圧解消位置まで開くと、前記電磁石の磁化を解除するように構成されていることを特徴とする。
【００１７】
このような構成の扉開放機構によれば、扉の内外の差圧が解消されてから、電磁石の磁化が解除されるので、扉本体が扉枠側に閉め戻されることがない。また、扉本体が、枠側磁性体と扉本体側磁性体との間に発生する反発力によって開き過ぎることがない。
【発明の効果】
【００１８】
本発明によれば、扉に開口部を形成することなく、簡単な構成で扉の開閉を補助することができるといった優れた効果を発揮する。
【図面の簡単な説明】
【００１９】
【図１】本発明の実施形態に係る扉開放機構を示した斜視図である。
【図２】本発明の実施形態に係る扉開放機構を示した断面図である。
【図３】図２のＡ−Ａ線断面図である。
【図４】差圧センサの一例を示した断面図であって、（ａ）は、差圧が小さい、あるいはない場合を示した図、（ｂ）は、差圧が大きい場合を示した図である。
【発明を実施するための形態】
【００２０】
本発明に係る扉開放機構を実施するための形態について、添付図面を参照しながら詳細に説明する。
【００２１】
図１に示すように、かかる扉開放機構１は、扉の内外で発生する差圧によって扉本体１０にかかる圧力（以下「風圧力」という場合がある）に抗して扉の開放を補助するためのものであって、例えば、開き扉２に形成されている。開き扉２は、扉本体１０と、扉本体１０を囲う扉枠３０と、扉本体１０を扉枠３０に回動自在に取り付けるヒンジ３とを備えて構成されている。開き扉２は、内外で差圧が発生する位置に設けられており、扉本体１０が高圧側に向かって開放するように配置されている。
【００２２】
扉本体１０には、扉開放用取っ手として、ドアノブ１２が設けられている。ドアノブ１２は、シリンダー１３やサムターン（図示せず）が一体的に取り付けられる鍵ケース１４に取り付けられており、ドアノブ１２を回転（作動）させると、ラッチボルト１５が扉本体１０の側面から出没するようになっている。鍵ケース１４は、薄い箱型を呈しており、扉本体１０の内部に収容されている。シリンダー１３に鍵を差し込んで回すか、あるいはサムターンを回すと、デッドボルト１６が扉本体１０の側面から出没するようになっている。なお、扉開放用取っ手は、ドアノブ１２に限定されるものではなく、レバーハンドルやプッシュドアハンドル等の他のものであってもよい。
【００２３】
扉枠３０は、扉本体１０の側面および上面を囲う三方枠３２と、扉本体１０の下面を囲う下枠３３とで構成されている。三方枠３２は、上枠部３２ａと側枠部３２ｂ，３２ｂとで構成されている。図２および図３に示すように、上枠部３２ａと側枠部３２ｂ，３２ｂは、ともに略同形状の断面Ｌ字状を呈しており、閉じた状態で扉本体１０の外周縁を覆う外周縁部３４と、外周縁部３４から扉本体１０の中心側に屈曲した係止部３５とを備えて構成されている。係止部３５は、扉本体１０の表面の周縁部に当接して、閉じた状態の扉本体１０を係止する。なお、本実施形態では、図１に示すように、開き扉２の内外で気密性を得るために、下枠３３も、外周縁部３４と係止部３５とを備えて、断面Ｌ字状に構成されている。
【００２４】
図１乃至図３に示すように、扉開放機構１は、扉本体１０を囲う扉枠３０の内部に設けられた枠側磁性体３１と、扉本体１０の内部に設けられた扉本体側磁性体１１と、を備えている。扉本体側磁性体１１と枠側磁性体３１とは、互いに対向する位置に配置されている。枠側磁性体３１および扉本体側磁性体１１の少なくとも一方（本実施形態では両方）は、電磁石にて構成されている。さらに、扉開放機構１は、扉本体１０のドアノブ１２の回動（扉開放用取っ手の作動）に応じて電磁石を磁化させて、枠側磁性体３１と扉本体側磁性体１１との間に反発力を発生させる磁化手段５０を備えており、前記した反発力によって、扉本体１０を開くように構成したことを特徴とする。
【００２５】
扉本体側磁性体１１は、電磁石にて構成されており、磁化手段５０と電気的に接続されている。扉本体側磁性体１１は、磁化手段５０によってコイルに通電されることで磁化される。扉本体側磁性体１１は、扉本体１０の内部に収容されている。具体的には、図２に示すように、扉本体側磁性体１１は、扉本体１０の上端縁の内部に収容されており、三方枠３２の上枠部３２ａの係止部３５に当接する面に、一方の磁極（例えばＮ極）が対向するように配置されている。
【００２６】
枠側磁性体３１も、電磁石にて構成されており、磁化手段５０と電気的に接続されている。枠側磁性体３１は、磁化手段５０によってコイルに通電されることで磁化される。枠側磁性体３１は、扉枠３０の内部に収容されている。具体的には、図２に示すように、枠側磁性体３１は、三方枠３２の上枠部３２ａの係止部３５の内部に収容されており、扉本体１０に対抗する面に、一方の磁極（例えばＮ極）が対向するように配置されている。
【００２７】
これによって、扉本体側磁性体１１と枠側磁性体３１が、同じ磁極同士が対向するように配置されており、磁化手段５０でともに通電されると、互いに反発するようになる。扉本体側磁性体１１は、高圧側に配置され、枠側磁性体３１は、低圧側に配置されており、反発力が発生すると、扉本体１０が高圧側に付勢される。扉本体側磁性体１１と枠側磁性体３１に発生する磁力は、扉本体１０が風圧力に抗して開くことができる反発力を発生させる強さ、つまり扉開放力よりも大きい応力を発生させる磁力になるようにする。扉本体側磁性体１１と枠側磁性体３１に発生する磁力は、磁化手段５０で流す電流値によって調整することができる。
【００２８】
磁化手段５０は、扉本体１０のドアノブ１２の回動（扉開放用取っ手の作動）に応じて電磁石のコイルに通電させる。磁化手段５０は、ドアノブ１２が回動してラッチボルト１５が扉本体１０内に没すると、通電を開始し、通電開始から所定時間経過すると通電を停止するように設定されている。なお、通電の停止は、通電開始からの時間で設定するのに限定されるものではなく、例えば、ドアノブ１２を元位置に戻したときに、通電を停止するようにしてもよい。また、扉本体１０が所定の角度まで開いたときに、通電を停止するようにしてもよい。
【００２９】
具体的には、磁化手段５０は、分電盤に接続される電源と、電源に接続される変換機と、変換機に接続されるスイッチ機構とを備えている。変換機は、交流電流を直流電流に変換する。スイッチ機構は、例えば、ドアノブ１２の回転軸の回動を検知する回動センサ（図示せず）を備えており、ラッチボルト１５が扉本体１０内に没する状態までドアノブ１２の回転軸が回動したことを回動センサが検知すると、電流を流す信号を変換機に送るようになっている。また、スイッチ機構は、通電開始から所定時間（例えば数秒）経過後に、通電を停止するように、電流を止める信号を変換機に送るようになっている。通電開始から通電停止までの時間は、扉本体１０が差圧解消位置まで開くのに要する程度の時間に設定されており、扉本体１０が差圧解消位置まで開くと、電磁石の磁化を解消するようになっている。すなわち、本実施形態では、スイッチ機構は、回動センサで作動して、タイマーで停止するようになっている。さらに、スイッチ機構は、デッドボルト１６が扉本体１０から突出して施錠された状態となっているときには、コイルに通電させないように構成されている。
【００３０】
変換機と電磁石とは、銅線からなる電線５１によって接続されている。変換機と枠側磁性体３１とを繋ぐ電線５１は、扉本体１０内からヒンジ３内を通過して、扉枠３０内に延出している。なお、図示していないが、分電盤と電源とを繋ぐ電線は、壁内からヒンジ３内を通過して扉本体１０内に延出している。
【００３１】
なお、本実施形態では、交流電流が流れる分電盤に電源を接続しているが、これに限定されるものではない。例えば、電池を電源として利用してもよい。この場合、変換機は設けなくてよく、電池に前記のスイッチ機能を接続する。このようにすれば、停電時でも差圧を解消でき、扉開閉障害を解消することができる
【００３２】
本実施形態に係る扉開放機構１は、扉本体１０の開閉をアシストするドアチェック５５をさらに備えている。ドアチェック５５は、ドアクローザーとも称され、開いた扉を自動的に閉鎖したり、閉鎖速度を調整したりする。ドアチェック５５は、扉本体１０の表面上部と、三方枠３２の上枠部３２ａとの間に架け渡して設けられている。ドアチェック５５は、扉本体１０が扉の内外の差圧を解消可能な差圧解消位置で扉本体１０を一旦停止させるように構成されている。差圧解消位置とは、図１に示すように、扉本体１０が、扉枠３０に対して所定の角度で開放され、扉枠３０と扉本体１０との間（開いた空間）を通して、扉の内外で空気を流通させることで差圧を解消できるとともに、空気の流通によって扉本体１０が扉枠３０側に閉め戻されることがない位置である。差圧解消位置で一旦停止した扉本体１０は、扉を開ける人が引き続いて開放動作（押す動作または引く動作）を行うことで開放される。
【００３３】
次に、前記のような構成の扉開放機構１を備えた扉を開放する際の各部の作動を説明しながら、かかる扉開放機構１の作用効果を説明する。
【００３４】
まず、扉を開ける人が、扉本体１０の前に立って、ドアノブ１２を把持して所定の角度まで回転させる。すると、ラッチボルト１５が、扉本体１０の内部に没し、扉本体１０が開放可能な状態となる。ここで、回動センサがドアノブ１２の回転軸の回動を検知し、スイッチ機構から変換機に電流を流す信号が送られる。そして、磁化手段５０から電流が流されて扉本体側磁性体１１と枠側磁性体３１の電磁石のコイルにそれぞれ通電される。
【００３５】
これによって、扉本体側磁性体１１と枠側磁性体３１がともに磁化され、扉本体側磁性体１１と枠側磁性体３１間に反発力が発生する。そして、この反発力によって、扉本体１０が、扉枠３０から離間する方向（開放方向）に付勢され、差圧による風圧力に抗して開く。
【００３６】
扉本体１０は、差圧解消位置まで開き、ドアチェック５５によって一旦停止される。この状態で、扉枠３０と扉本体１０との間を通して、扉の内外で空気が流通するので、差圧が解消される。その後、扉を開ける人が引き続いて開放動作（押す動作または引く動作）を行うことで扉本体１０が開放される。このように、ドアチェック５５で扉本体１０が一旦停止されるので、扉を開ける人が、ドアノブ１２を把持したまま、扉本体１０に押されたり引っ張られたりすることがなく、安定した体勢で扉の開放を行うことができる。
【００３７】
ここで、仮に扉の内外で４７．６Ｐａ以上の差圧があった場合には、一般的な扉では９０Ｎ以上の扉開放力と必要とするので、扉が非常に重く開放しにくくなるが、本実施形態では、前記のように磁力による反発力で、扉本体１０を差圧解消位置まで自動的に開くので、扉の内外の差圧が解消され、その後は、５０Ｎ以下の小さい力で扉本体１０を開放することができる。
【００３８】
その後、磁化手段５０のスイッチ機構によって、通電開始から所定時間（例えば数秒）経過後に、通電が停止される。このとき、扉本体１０は差圧解消位置まで開いており、この状態で電磁石の磁化が解消され、扉本体側磁性体１１と枠側磁性体３１間の反発力がなくなる。よって、扉本体１０には磁力による応力がかからず、また差圧も解消されているので、扉本体１０は、差圧解消位置で一旦停止した後は、通常の扉と同じ状態で開放することができる。すなわち、磁力による反発力がかからないので、扉本体１０が開き過ぎることがなく、扉を開ける人が、ドアノブ１２を把持したまま、扉本体１０に押されたり引っ張られたりすることがない。また、扉本体１０が差圧解消位置まで開いた後に通電を停止しているので、扉の内外の差圧が解消されてから、電磁石の磁化が解除されることとなり、扉本体１０と扉枠３０との隅間に空気の流れはなくなっているため、扉本体１０が扉枠３０側に閉め戻されることがない。
【００３９】
以上説明したように、本実施形態に係る扉開放機構１では、枠側磁性体３１と扉本体側磁性体３１との間に発生する反発力によって、扉の内外で発生する差圧によって扉本体１０にかかる圧力に抗して扉本体１０を開くので、その時点で扉内外の差圧が解消され、その後は、通常の力で円滑に扉本体を開放することができる。したがって、扉開閉障害を解消することができる
【００４０】
さらに、ドアノブ１２の回動（扉開放用取っ手の作動）に応じて電磁石を磁化させるので、ラッチボルト１５が扉枠３０に係止された状態では反発力が発生しない。したがって、扉本体１０や扉枠３０に無理な応力がかかることはない。
【００４１】
また、かかる扉開放機構１によれば、扉本体１０を開くことで差圧を解消しているので、従来技術のように扉に差圧調整用の開口部を形成する必要はなく、防火上の問題はない。さらに、枠側磁性体３１は扉枠３０の内部に、扉本体側磁性体１１は扉本体１０の内部にそれぞれ設けられているので、各装置の設置スペースを別途に必要とせず、また、簡単な構成であるので、施工費用の上昇を抑制できる。
【００４２】
次に、本発明に係る扉開放機構の他の形態について説明する。
【００４３】
前記実施形態では、扉側磁性体１１と枠側磁性体３１間に発生する反発力のみによって、扉本体１０を所定の角度まで開くようにしているが、これに限定するものではない。本実施形態では、反発力のみで扉本体を開放するのではなく、反発力を扉開放力よりも小さくしている。つまり、反発力が、扉の開放の補助力となり、扉を開く人の力と合わせて扉本体を開放するようになっている。このような構成によれば、扉本体の最初の開放を人が行う必要があるが、５０Ｎ以下の小さい力で円滑に扉を開放することができる。なお、本実施の形態では、扉を開ける人が扉本体の最初の開放を行う以外は、前記実施形態と同様の動作を行うこととなる。また、前記実施形態と同様の作用効果を得ることができる。
【００４４】
以上、本発明を実施するための形態について説明したが、本発明は前記実施の形態に限定されず、本発明の趣旨を逸脱しない範囲で適宜設計変更が可能である。たとえば、前記実施形態では、扉開放機構１を、扉本体１０の内外で差圧が発生する位置に設けた扉に適用しているが、これに限定されるものではなく、単に重量が重くて、大きい扉開放力を要する扉に適用してもよいのは勿論である。このような場合でも、扉の開放の補助を行うことができ、小さい扉開放力で扉を開放することができる。
【００４５】
また、前記の実施形態では、磁化手段５０のスイッチ機構に、通電開始から所定時間経過後に電流を止める信号を変換機に送る機能を持たせて、扉本体１０が差圧解消位置まで開いた後に、電磁石の磁化を解消するようにしているが、これに限定されるものではない。具体的には、ドアチェック５５に、扉本体１０が差圧解消位置まで開いたことを検知する開き角度センサを設け、この開き角度センサが、扉本体１０が差圧解消位置まで開いたことを検知すると、電流を止める信号を磁化手段５０の変換機に送るように構成すればよい。このようにしても、差圧が解消された後に、電磁石の磁化が解消されるので、扉本体１０の閉め戻りを防止できる。
【００４６】
さらに、扉内外の差圧を計測する差圧センサを設け、この差圧センサを、制御装置（図示せず）を介して磁化手段５０に接続しておき、差圧の値に応じて、扉本体側磁性体１１および枠側磁性体３１の電磁石のコイルに流す電流値を決定するようにしてもよい。このようにすれば、扉の内外の差圧が変動する場合でも、扉本体側磁性体１１と枠側磁性体３１間で、常に適切な反発力を発生させることができる。
【００４７】
差圧センサは、例えば、図４に示すようなものを用いればよい。図４の（ａ）に示すように、差圧センサ６０は、扉枠３０の三方枠３２の手先側に位置する側枠部３２ｂに設けられる。側枠部３２ｂの扉本体１０の圧力を受ける係止部３５に凹部３６が形成されており、この凹部３６内に弾性パッキン６１が収容されている。弾性パッキン６１は、係止部３５の表面から突出する大きさに形成されている。弾性パッキン６１の内部には、扉本体１０の圧力による押圧方向（扉本体１０の直交方向）に沿って設けられた棒状部材６２と、この棒状部材６２の先端に固定された金属板６３と、金属板６３のひずみを検知するひずみ検知手段６４とが設けられている。金属板６３は、薄板の平板状に形成されている。金属板６３は、棒状部材６２と直交して配置されており、水平方向の両端が凹部３６の内壁面に固定され、その中央部が弾性的に変形可能に構成されている。ひずみ検知手段６４は、ひずみゲージとひずみ受感部とを備えている。ひずみゲージは、棒状部材６２とは逆側の金属板６３の表面に貼り付けられている。ひずみ検知手段６４は、図示しない制御装置に電気的に接続されている。制御装置は、ひずみゲージ６４の検出値より、扉内外の差圧を算出し、その差圧の値に応じて、扉本体側磁性体１１および枠側磁性体３１の電磁石のコイルに流す電流値を決定する。なお、金属板６３の形状は平板状に限定されるものではなく、弾性変形が可能であれば、ループ状や湾曲板状等、他の形状であってもよい。
【００４８】
このような差圧センサ６０は、図４の（ｂ）に示すように、扉本体１０側が高圧になって、扉本体１０が係止部３５側に押圧されると、弾性パッキン６１が圧縮されて変形し、棒状部材６２が金属板６３を押して、金属板６３が歪む。そして、この歪をひずみ検知手段６４のひずみゲージがひずみ受感部に伝達し、このひずみ受感部が、ひずみに比例した電流を制御装置（図示せず）に流す。制御装置では、受信した電流値から扉内外の差圧を算出し、その差圧の値に応じて、扉本体側磁性体１１および枠側磁性体３１の電磁石のコイルに流す電流値を決定する。これによって、必要最小限の電力で、扉本体側磁性体１１および枠側磁性体３１間に適度な反発力が得られ、扉本体１０が所定の角度開いて差圧が解消される。そして、その後は、小さい扉開放力（９０Ｎ以下）で扉を開放することができる。
【００４９】
また、前記の実施形態では、扉本体側磁性体１１が扉本体１０の上端縁の内部に収容され、枠側磁性体３１が三方枠３２の上枠部３２ａの係止部３５の内部に収容されているが、その収容位置はこれに限定されるものではなく、扉本体１０と扉枠３０とが互いに対向する場所であれば、どこに設けてもよい。扉本体側磁性体１１と枠側磁性体３１の収容位置は、用いられる電磁石の磁力や、扉本体１０の大きさ、重さに応じて、適宜設定すればよい。なお、扉本体側磁性体１１と枠側磁性体３１の収容位置が、ヒンジ３（吊元側）に近いほど、大きな磁力を必要とするが、扉本体側磁性体１１と枠側磁性体３１の離間距離は短くて済む。
【００５０】
また、前記実施形態では、扉本体側磁性体１１と枠側磁性体３１がともに電磁石にて構成されているが、いずれか一方を永久磁石で構成して、他方を電磁石で構成するようにしてもよい。
【符号の説明】
【００５１】
１      扉開放機構
１０    扉本体
１１    扉本体側磁性体
１２    ドアノブ（扉開放用取っ手）
３０    扉枠
３１    枠側磁性体
５０    磁化手段
５５    ドアチェック
【図１】
2010222848.tif 000003
【図２】
2010222848.tif 000004
【図３】
2010222848.tif 000005
【図４】
2010222848.tif 000006